(57)【要約】【課題】所定の構図情報を簡便に表示、確認することを可能にし、構図切換操作を簡便にかつ確実に行う。【解決手段】撮影映像を表示する第１の表示モニタ１２と、他の撮影装置と通信を行う通信手段１４と、得られた他の撮影装置の構図情報や必要な情報を表示する第２の表示モニタ１３を有し、第１の表示モニタ１２の構図切換等に利用する。【選択図】図１
2007104187.tif 000002
【特許請求の範囲】
【請求項１】
撮影映像を表示する第１の表示モニタと、撮影装置の状態量情報及び撮影映像を撮影装置間で通信する通信手段と、該通信手段を介して取得した他の撮影装置の状態量情報及び撮影映像に基づく表示信号を出力する信号処理部と、前記表示信号に基づいて表示する第２の表示モニタとを有することを特徴とする撮影装置。
【請求項２】
前記信号処理部は、自己の撮影装置及び他の撮影装置により撮影した撮影領域全体と、各撮影装置の撮影領域とを表示する表示信号を出力することを特徴とする請求項１に記載の撮影装置。
【請求項３】
前記信号処理部は、自己の撮影装置及び他の撮影装置の広角端における状態量情報及び撮影映像に基づいて前記表示信号を出力することを特徴とする請求項１又は２に記載の撮影装置。
【請求項４】
前記信号処理部は、自己の撮影装置または他の撮影装置から選択された構図を基準として、自己の撮影装置について設定した複数の構図を表示する表示信号を出力することを特徴とする請求項１〜３の何れか１つの請求項に記載の撮影装置。
【請求項５】
自己の撮影装置について設定した複数の構図の１つを選択する構図選択手段を有し、該構図選択手段により選択した構図に対応する状態量に制御することを特徴とする請求項１〜４の何れか１つの請求項に記載の撮影装置。
【請求項６】
前記第２の表示モニタはタッチパネルで構成し、自己の撮影装置について設定し、前記第２の表示モニタに表示した複数の構図の選択操作に連動して、選択した構図に対応する状態量に制御することを特徴とする請求項１〜４の何れか１つの請求項に記載の撮影装置。
【請求項７】
前記信号処理部は、自己の撮影装置について設定する構図を追加した新たな表示信号を出力可能であることを特徴とする請求項１〜６の何れか１つの請求項に記載の撮影装置。
【請求項８】
撮影装置の姿勢を変更する駆動手段を有し、該駆動手段は自己の撮影装置について設定した複数の構図から選択した構図に対応して駆動することを特徴とする請求項１〜７の何れか１つの請求項に記載の撮影装置。
【請求項９】
前記第２の表示モニタは、撮影装置の鉛直方向又は水平方向の何れか一方を軸として回動可能であることを特徴とする請求項１〜８の何れか１つの請求項に記載の撮影装置。
【請求項１０】
前記第２の表示モニタは、撮影装置の鉛直方向及び水平方向を軸として回動可能であることを特徴とする請求項１〜８の何れか１つの請求項に記載の撮影装置。
【請求項１１】
前期第２の表示モニタは、前記通信手段を介して取得した他の撮影装置の状態量情報及び撮影映像に基づく表示信号以外の情報表示が可能であることを特徴とする請求項１〜１０の何れか１つの請求項に記載の撮影装置。
【発明の詳細な説明】
【技術分野】
【０００１】
本発明は、撮影画像を表示する表示部を有し、特に放送用に用いることに好適な撮影装置に関するものである。
【背景技術】
【０００２】
ゴルフ場、競馬場やサッカースタジアムなど、屋外フィールドにおけるテレビ番組の撮影では、それぞれの撮影装置に個別に予め設定された複数の画面つまり構図を組合わせて用いることによって、ストーリィ性が生じ、かつ臨場感のある画作りが行える。放送用の番組製作においては、このような複数の撮影装置による撮影手法は必須の手法となっている。
【０００３】
従来では、それぞれの撮影装置に、複数の構図情報をズーム位置、フォーカス位置、露出情報などを組合わせた情報によって記憶する記憶手段が設けられており、記憶手段に設けられた複数のスイッチを操作することによって構図の切換えを行っている。
【０００４】
また、特許文献１に記載されているように、撮影画面を表示するビューファインダ上に、記憶された撮影画像情報である構図情報を参照画面として表示する手法が開示されている。
【０００５】
また、従来の記憶手段を用いて複数の構図を決定し、記憶された構図を撮影装置で切換える方法があり、操作者が所定の構図を決定した後に、図１３に示すようなズーム操作手段１に設けられた操作部２を使用して操作を行う。
【０００６】
図１４に示すように、操作部２には記憶トリガスイッチ３と割当スイッチ４ａ〜４ｆとが設けられ、割当スイッチ４ａ〜４ｆのそれぞれに、撮影装置における構図決定に関わる情報である焦点位置情報、ズーム位置情報、露出情報が記憶されている。
【０００７】
割当スイッチ４ａ〜４ｆを個別に押すことで、それぞれの割当スイッチ４ａ〜４ｆに記憶された構図になるように、撮影装置の光学系が駆動され、記憶された構図が再現される。
【０００８】
【特許文献１】特開２００２−２８１３５８号公報
【発明の開示】
【発明が解決しようとする課題】
【０００９】
しかしながら、この割当スイッチ４ａ〜４ｆによる従来の構図決定法では、記憶された構図は割当スイッチ４ａ〜４ｆの番号情報でしか識別する方法がない。操作者は構図情報を記憶に頼って操作することになり、例えば短時間に複雑に構図を切換える操作を行う際の操作信頼性は、操作者の記憶力による。
【００１０】
また、特に近年実現された高倍率の長焦点ズームレンズによる長焦点側の撮影の場合には、僅かの姿勢差でも構図が決定的に変化してしまうため、構図再現の操作性の難易度が大きい。
【００１１】
撮影画像情報の表示部に参照画像として構図情報が表示される場合においても、構図の切換えを行う際に、撮影装置自体の姿勢も正確に再現しなくてはならず、操作者の熟練度に構図切換の信頼性が依存することになる。
【００１２】
本発明の目的は、上述の課題を解消し、所定の構図情報を簡便に表示、確認することを可能にし、更に構図切換操作も簡便にかつ確実に行うことができる撮影装置を提供することにある。
【課題を解決するための手段】
【００１３】
上述の目的を達成するための本発明に係る撮影装置の技術的特徴は、撮影映像を表示する第１の表示モニタと、撮影装置の状態量情報及び撮影映像を撮影装置間で通信する通信手段と、該通信手段を介して取得した他の撮影装置の状態量情報及び撮影映像に基づく表示信号を出力する信号処理部と、前記表示信号に基づいて表示する第２の表示モニタとを有することにある。
【発明の効果】
【００１４】
本発明に係る撮影装置によれば、撮影装置の操作者は第２の表示モニタを通常の撮影に用いる撮影画面と併用して、通信手段を介した他の撮影装置の撮影情報を表示させることができる。また、映像情報を適宜撮影に有用な補助情報として第２の表示モニタに選択表示させることで、撮影装置を用いる操作者の撮影操作の効率を高めることができる。
【発明を実施するための最良の形態】
【００１５】
本発明を図１〜図１２に図示の実施例に基づいて詳細に説明する。
【実施例１】
【００１６】
図１は実施例１の撮影装置の背面図を示し、撮影装置の本体１１には第１の表示部１２が設けられ、更に本体１１に対し可動とされた第２の表示部１３が付設され、第２の表示部１３には、アンテナから成る通信手段１４、合成演算開始スイッチ１５が設けられている。また本体１１には、通信切換スイッチ１６、基準決定スイッチ１７、一時記憶スイッチ１８、演算トリガスイッチ１９が設けられている。更に本体１１には、焦点操作装置２０、ズーム操作装置２１が付設され、ズーム操作装置２１には、設定スイッチ２２、記憶切換手段２３、表示部２４、トリガスイッチ２５が設けられている。
【００１７】
図２は撮影装置のブロック回路構成図であり、本体１１には撮像系部３１が設けられ、撮像系部３１の出力は映像信号処理部３２を介して第１の表示部１２に接続されている。また本体１１には、光学系状態量検出部３３、撮影装置状態量検出部３４が設けられ、これらの出力はメモリ３５ａ、３５ｂ、３５ｃ、・・・を有する状態量記憶部３５に接続されている。状態量記憶部３５の出力は合成処理部３６、通信手段１４を付設した通信処理部３７に接続され、合成処理部３６には映像信号処理部３２の出力も接続されている。合成処理部３６は通信処理部３７と相互に接続されていると共に、合成処理部３６の出力は第２の表示部１３に接続されている。また、通信処理部３７は通信手段１４を介して、他の撮影装置３８と相互に信号の送受信を行うようにされている。
【００１８】
競馬や野球などのフィールド中継のように、複数の撮影装置によって全景撮影、被写体の追従撮影、定点撮影など複数の構図を適用して撮影を行う場合に、複数の撮影装置を会場全体の適宜な個所に配置し、先ず番組作りの意図に応じた構図の決定操作が行われる。
【００１９】
それぞれの個所に配置された撮影装置において、撮影構図を決定、記憶させる操作を行う場合に、操作者はズーム操作装置２１の設定スイッチ２２を起動し、記憶操作を開始する。構図情報は情報毎に番号を割り振ることで、一括して纏まったデータ群として記憶させるため、格納すべき構図情報に割り当てたい任意の番号を記憶切換手段２３を操作して割り振り、そのときの該当する番号は表示部２４上に表示される。更に、焦点操作装置２０やズーム操作装置２１を用いて撮影構図を決定した後に、ズーム操作装置２１のトリガスイッチ２５を操作すれば、操作者の意図した撮影構図を生成している状態量が、状態量記憶部３５のメモリ３５ａ、３５ｂ、３５ｃ、・・・に記憶される。
【００２０】
記憶される状態量は、焦点位置、ズーム位置、絞りなどの光学系状態量と、会場における撮影装置のＧＰＳ等を用いた座標情報と、高度計を用いた高度情報の総合情報の地理的な配置情報や、撮影装置自体の光学仕様情報を含めた撮影装置状態量である。
【００２１】
このようにして、構図情報の記憶に用いる番号を記憶切換手段２３を用いて切換操作し、トリガスイッチ２５を逐次に操作する毎に状態量を記憶させることができる。記憶された状態量は、本体１１の通信切換スイッチ１６をオンにすることにより、通信処理部３７の通信手段１４を介して、類似の装置構成を有する他の撮影装置３８間とで情報の送受信を行うことが可能となる。
【００２２】
このようにして、相互の撮影装置間で状態量の通信が行われると、それぞれの撮影装置が定めた構図情報を１つの構図情報の上に配置表示することに適した基準構図を任意に選択できることになる。一般的には、基準構図に被写体となる会場の全景が好適であり、会場内に配された各撮影装置の内の会場全景を撮影できる個所の撮影装置による被写体を選択すればよい。その際には、全景として採択される構図を撮影している撮影装置において、被写体全景の基準構図であることを決定する本体１１の基準決定スイッチ１７をオンにすることで、図３に示すような被写体全景の基準構図情報Ａが決定される。
【００２３】
このとき、全景の基準構図を撮影する撮影装置が、同様の構図を維持したまま撮影を行うことで、リアルタイムな表示情報として活用が可能であり、また別に一時記憶スイッチ１８をトリガとして、一時記憶された全景の基準構図情報Ａを設定してもよい。勿論、取得された全景の基準構図情報Ａを基にして、ＣＧ等で代用した全景情報に加工したデータを活用することも可能である。或いは、通信切換スイッチ１６をオフにして、個々の撮影装置の配置において、最も広角で撮影された操作者の視点における全景情報に限定して設定することも可能である。このように、全景の基準構図情報Ａは各操作者にとって最も把握し易い構図情報として、自在に設定することが可能である。
【００２４】
撮影装置の操作者は、第２の表示部１３を通常の撮影に用いる撮影画面と併用して、通信手段１４を介した撮影画面とは別の映像情報を常に視認することが可能となる。また、映像情報を適宜撮影に有用な補助情報として選択表示させることで、それぞれの撮影装置の操作者からの視点に基づいて変換された撮影対象となる被写体領域の全景を常に確認でき、撮影時の構図と全景とを同時に把握しながら撮影することができる。
【００２５】
図４は全景情報の一例、及び撮影装置状態量の合成方法の説明図である。この図４のように、複数の撮影装置１〜４の中の会場の全景が撮影可能な撮影装置上に、全景の基準構図情報Ａが設定される。決定された全景の基準構図情報Ａ上に、各撮影装置間で取得された構図情報をエリア表示するために用いる全景基準データＢのデータ演算が行われる。
【００２６】
データ演算では、各撮影装置間で送受信されたＧＰＳデータ、高度データ等から成る撮影装置状態量によって、各撮影装置で設定された構図情報の基点と、撮影可能な相対範囲について、全景の基準構図情報Ａ上の相対配置情報として合成される。このデータ演算は演算トリガスイッチ１９を操作することで、逐次に行われる。
【００２７】
撮影可能な相対範囲のデータは、図４中のＢａ〜Ｂｄのように全景基準データＢに合成されるが、操作者が見る表示画面上では、図４のＢａ〜Ｂｄに示すようなエリア表示が行われる必要はない。
【００２８】
全景の基準構図情報Ａと各撮影装置３８から送信されてきた構図情報の相対配置演算の終了後に、基準決定スイッチ１７と通信切換スイッチ１６が共にオンの場合、つまり映像信号処理部３２から合成処理部３６に出力された場合には、各撮影装置に対して演算情報を含めた全景基準データＢが送信される。
【００２９】
このようにして、全景基準データＢの送信が可能な状態になると、各撮影装置の状態量記憶部３５に記憶された構図情報との合成処理が行われる。受信された全景基準データＢは撮影装置内の合成処理部３６に送られ、合成演算開始スイッチ１５を操作することにより、各撮影装置で状態量記憶部３５に記憶された構図情報が全景基準データＢに合成される。予め全景基準データＢには、それぞれの撮影装置の撮影可能範囲の相対配置情報を有しているため、合成する構図情報は正確に配置可能となっている。その結果、図３に示すように第２の表示部１３に表示される全景基準データＢ上に、エリア表示Ｃａ〜Ｃｅとして、記憶された構図表示が行われることとなる。
【００３０】
またエリア表示Ｃａ〜Ｃｅには、構図記憶の際に割り当てた番号を表示することも可能である。更に、一旦全景基準データＢを受信した後でも、全景基準データＢの映像はリアルタイムの映像として、通信手段１４を介して表示し続けることを選択できる。
【００３１】
従って、突発事態などで新たな構図の記憶が必要になった場合に、上述の手順により新たな構図を記憶させた後に、合成演算開始スイッチ１５を作動させることで、エリア表示Ｃａ〜Ｃｅに追加表示させることも可能である。これにより、迅速な構図決定、及び表示追加に対応可能となる。
【００３２】
このようにして本実施例の撮影装置では、それぞれの撮影装置が撮影する主要被写体構図の画像を第１の表示部１２に表示する一方で、全景基準データＢ上に記憶された構図情報をエリア表示の形で、第２の表示部１３上に表示することが可能である。
【００３３】
また、予め設定、記憶した構図情報を視認しながら、構図切換に活用することが可能となり、操作者の記憶に依存しない構図切換の撮影操作を実現することができる。
【実施例２】
【００３４】
図５は実施例２のブロック回路構成図であり、実施例１と同一の符号は同一の部材を示している。第２の表示部１３上に構図切換手段４１が設けられ、状態量記憶部３５の出力は撮像系の焦点調整、ズーム操作、絞り操作などを電動で行う光学系駆動手段４２に接続されている。
【００３５】
図６には、図５で構成された第２の表示部１３の要部が示され、図７は実施例２における構図切換の説明図を示している。図６に示すように、実施例１で説明した手段を用いて、撮影装置に複数の構図が記憶され、第２の表示部１３に表示される全景基準データＢ上にエリア表示の形式で構図情報Ｄａ〜Ｄｅが表示されている。そして、この画面上の構図情報Ｄａ〜Ｄｅは公知のタッチパネルのような接触式入力手段の検知領域を兼ねている。
【００３６】
操作者が構図情報Ｄａ〜Ｄｅの中から任意の構図に切換える場合に、図７に示すように第２の表示部１３上の例えば構図情報Ｄｄに直接触れることで、この操作を入力として状態量記憶部３５の中から、これに該当する状態量を抽出する。抽出された状態量の内の光学系状態量に関するデータを制御目標値とし、撮像系部３１中の光学系駆動手段４２を駆動することにより、第１の表示部１２に表示される映像が記憶された構図情報へと切換わる。
【００３７】
操作者は撮影装置の姿勢を調整して、目的とする構図への切換えをすることができ、操作者は直感的に構図情報そのものを選択する行為を入力として、撮影装置の構図切換操作を行うことができる。
【実施例３】
【００３８】
図８は実施例３のブロック回路構成図、図９は撮影装置の側面図である。図５の実施例２に対して、状態量記憶部３５の出力が撮影装置全体についてパンニング方向に電動駆動するための撮影装置駆動手段５１Ｐ、及びティルティング方向に電動駆動する撮影装置駆動手段５１Ｔに接続されている。
【００３９】
状態量記憶部３５に複数の構図が記憶され、全景基準データＢ上の構図情報Ｄａ〜Ｄｅも入力されている。なお、構図切換の入力手段は公知のスイッチボックスでもよい。操作者が構図情報Ｄａ〜Ｄｅの中から任意の構図に切換える場合に、第２の表示部１３上の構図情報に直接触れることで、この操作を入力として状態量記憶部３５の中から、これに該当する状態量を抽出する。
【００４０】
抽出された状態量は、光学系状態量に関するデータと撮影装置全体の姿勢を定めるデータとを制御目標値とし、撮像系部３１中の光学系駆動手段４２は、光学系状態量に関する目標値を満足する制御で駆動される。一方、撮影装置の姿勢を目標値として、撮影装置駆動手段５１Ｐと撮影装置駆動手段５１Ｔの双方を駆動させて撮影装置を動かすことにより、撮影装置の第１の表示部１２に表示される映像が、記憶された構図情報へと切換わる。
【００４１】
従って、特に微小な画角のずれが構図に影響してしまう長焦点レンズを用いた撮影において、撮影装置自体の姿勢制御も含めた極めて精度の高い構図切換操作を、操作者は第２の表示部１３上に表示された構図情報Ｄａ〜Ｄｅに基づいて直感的に行うことが可能となる。
【実施例４】
【００４２】
図１０は実施例４の撮影装置の側面図であり、全景基準データＢを表示する第２の表示部１３には、映像情報以外の任意の情報を表示することが可能とされている。その一例として、複数の操作者同士がそれぞれの撮影装置における、焦点位置、ズーム位置、露出情報等の光学仕様状態を確認しながら撮影を行う場合に、第２の表示部１３に相対的な光学仕様表示６１が表示されている。
【００４３】
或いは、図１１に示すように通常印刷処理される広告表示６２を、第２の表示部１３に表示させることもできる。
【００４４】
また図１２に示すように、第２の表示部１３の向きを変更し、被写体側からの視認性を高める配置とすることで、番組原稿を表示するプロンプタ情報表示６３を表示させることができるようになっている。これにより、複数の撮影装置の操作者同士が、互いの撮影状況を確認しながら協調した撮影行為を行うことができる。
【００４５】
第２の表示部１３上に表示する情報について、例えば広告情報や、アナウンサやレポータの原稿情報などに切換え選択表示することにより、撮影装置の操作者以外の環境に対する情報発信が行える。同時に、第１の表示部１２を用いた通常撮影を実施可能とする構成によって、撮影活動に際した情報の配信の面での利便性、付加価値を高めることが可能となる。
【図面の簡単な説明】
【００４６】
【図１】実施例１の撮影装置の背面図である。
【図２】ブロック回路構成図である。
【図３】構図表示状態図である。
【図４】撮影装置状態量の合成方法の説明図である。
【図５】実施例２のブロック回路構成図である。
【図６】第２の表示部に設けた切換手段の図である。
【図７】構図切換の説明図である。
【図８】実施例３のブロック回路構成図である。
【図９】撮影装置の側面図である。
【図１０】実施例４の撮影装置の側面図である。
【図１１】撮影装置の側面図である。
【図１２】撮影装置の正面図である。
【図１３】従来の撮影装置システムにおける構成図である。
【図１４】従来例の操作部の正面図である。
【符号の説明】
【００４７】
１１  本体
１２  第１の表示部
１３  第２の表示部
１５  合成演算開始スイッチ
１６  通信切換スイッチ
１７  基準決定スイッチ
１８  一時記憶スイッチ
１９  演算トリガスイッチ
２０  焦点操作装置
２１  ズーム操作装置
２２  設定スイッチ
２３  記憶切換手段
２４  表示部
２５  トリガスイッチ
３１  撮像系部
３２  映像信号処理部
３３  光学系状態量検出部
３４  撮影装置状態量検出部
３５  状態量記憶部
３６  合成処理部
３７  通信処理部
３８  他の撮影装置
４１  構図切換手段
４２  光学系駆動手段
５１Ｐ、５１Ｔ  撮影装置駆動手段
６１  光学仕様情報表示
６２  広告表示
６３  プロンプタ情報表示
Ａ  全景の基準構図情報
Ｂ  全景基準データ
Ｂａ〜Ｂｅ、Ｃａ〜Ｃｅ  エリア表示
Ｄａ〜Ｄｅ  構図情報
【図１】
2007104187.tif 000003
【図２】
2007104187.tif 000004
【図３】
2007104187.tif 000005
【図４】
2007104187.tif 000006
【図５】
2007104187.tif 000007
【図６】
2007104187.tif 000008
【図７】
2007104187.tif 000009
【図８】
2007104187.tif 000010
【図９】
2007104187.tif 000011
【図１０】
2007104187.tif 000012
【図１１】
2007104187.tif 000013
【図１２】
2007104187.tif 000014
【図１３】
2007104187.tif 000015
【図１４】
2007104187.tif 000016